(57)【要約】【課題】  架渉時にケーブルの捻回を導入することができない場合や、すでに架渉されているケーブルがない場合でも、容易にダンシングを抑制することを可能にするケーブルのダンシング制御ツールを提供する。【解決手段】  光ケーブル１１０に固定される吊架金物２と、光ケーブル１１０に荷重を加える球状錘１Ｂと、吊架金物２に対して、球状錘１Ｂを遊動可能に保持する球体１Ａとを有し、光ケーブル１１０の風圧振動で球状錘１Ｂが遊動して、このケーブル１１０の自重を変える。また、球体１Ａは、内部が中空であり、この中空内に球体１Ａを持つ中空体である。【選択図】  図２
2005341689.tif 000002
【特許請求の範囲】
【請求項１】
架空ケーブル（１１０）に固定される固定手段（２）と、
前記架空ケーブル（１１０）に荷重を加える錘（１Ｂ）と、
前記固定手段（２）に対して、前記錘（１Ｂ）を遊動可能に保持する保持手段と、
を有し、
前記架空ケーブル（１１０）の風圧振動で前記錘（１Ｂ）が遊動して、このケーブル（１１０）の自重を変えることを特徴とするケーブルのダンシング制御ツール。
【請求項２】
前記保持手段は、内部が中空であり、この中空内に前記錘を持つ中空体（１Ａ）であることを特徴とする請求項１に記載のケーブルのダンシング制御ツール。
【請求項３】
前記保持手段は、前記錘（１Ｂ）を前記固定手段（２）に、遊動可能につなぐ弾性体（３）であることを特徴とする請求項１に記載のケーブルのダンシング制御ツール。
【発明の詳細な説明】
【技術分野】
【０００１】
本発明は、通信用の伝送路として使用される架空ケーブルに関し、特に、このケーブルのダンシング制御ツールに関する。
【背景技術】
【０００２】
風により架空ケーブルが共振周波数で振動するダンシングは、「断面一様」、「形状非対称」のケーブルに発生しやすい。ダンシングが発生しやすいとされるケーブルでは、ケーブル架渉時にこのケーブルを捻回させて布設したり、既に架渉しているケーブルに治具を用いて、このケーブルを把持させることにより、ダンシングを抑制する対策が施されている（特許文献１）。
【特許文献１】特開平１０−６０８１６号公報
【発明の開示】
【発明が解決しようとする課題】
【０００３】
しかし、ダンシングを抑制する従来の対策には、次のような課題がある。ケーブルの特性上、およびケーブルの電柱との引き留め治具の構造上、架渉時にケーブルの捻回を導入することができない場合がある。また、すでに架渉されているケーブルがなく、追加するケーブルを把持させることができないケースがある。このために、ダンシングを発生させない対策をケーブルに対して容易に施すことができない。
【０００４】
本発明は、前記の課題を解決し、架渉時にケーブルの捻回を導入することができない場合や、すでに架渉されているケーブルがない場合でも、容易にダンシングを抑制することを可能にするケーブルのダンシング制御ツールを提供することにある。
【課題を解決するための手段】
【０００５】
前記課題を解決するために、請求項１の発明は、架空ケーブルに固定される固定手段と、前記架空ケーブルに荷重を加える錘と、前記固定手段に対して、前記錘を遊動可能に保持する保持手段とを有し、前記架空ケーブルの風圧振動で前記錘が遊動して、このケーブルの自重を変えることを特徴とするケーブルのダンシング制御ツールである。
請求項２の発明は、請求項１に記載のケーブルのダンシング制御ツールにおいて、前記保持手段は、内部が中空であり、この中空内に前記錘を持つ中空体であることを特徴とする。
請求項３の発明は、請求項１に記載のケーブルのダンシング制御ツールにおいて、前記保持手段は、前記錘を前記固定手段に、遊動可能につなぐ弾性体であることを特徴とする。
【０００６】
本発明によるケーブルのダンシング制御ツールを架空ケーブルに装着することで、ダンシングを発生させるファクターであるケーブルの共振周波数を変化させ、ダンシングを抑制することを特徴とする。ケーブルのダンシング制御ツールは、風圧振動により、このツール内にある錘が上下左右を自由に運動し、スパン間のケーブル総重量を常時変化させることで、共振周波数を変動させることが可能である。
【発明の効果】
【０００７】
本発明によれば、架空ケーブルのスパン間のケーブル重量が変化するため、架空ケーブルの共振周波数も変化する。それにより、ダンシングの発生を抑制することができ、ケーブルに対する振動による繰り返し荷重を抑えることが可能となる。よって、ケーブル支持線の疲れ破壊によるケーブルの破断を発生しにくくすることができる。
【発明を実施するための最良の形態】
【０００８】
つぎに、本発明を実施するための最良の形態について、図面を用いて説明する。
［実施形態１］
本実施形態によるケーブルのダンシング制御ツール（以下、ダンシング制御ツールという）は、図１に示すように、抑制装置１と、固定手段として吊架金物２とで構成されている。
【０００９】
吊架金物２は、抑制装置１を光ケーブル１１０に吊るすためのものであり、固定部２Ａとボルト２Ｂとナット２Ｃとで構成されている。固定部２Ａは光ケーブル１１０を挟むためのものであり、ボルト２Ｂとナット２Ｃは、挟んだ光ケーブル１１０を固定部２Ａに固定する。
【００１０】
抑制装置１は、図２に示すように、保持手段として球体１Ａと、球状錘１Ｂとで構成されている。球体１Ａは、吊架金物２に取り付けられ、吊架金物２によって光ケーブル１１０に固定される。球体１Ａは、形状が球であり、内部が中空である中空体である。球体１Ａの内部には、吊架金物２の径に比べて小径の球形をした球状錘１Ｂが入っている。球状錘１Ｂは、球体１Ａの中空内を自由に動くことが可能な、つまり遊動可能なおもりである。
【００１１】
抑制装置１によれば、風圧による光ケーブル１１０の振動が発生していない間は、球体１Ａ内の球状錘１Ｂは一定の場所にとどまっている。しかし、風圧による振動を受けたときに、球体１Ａ内で球状錘１Ｂは自由に可動できる機構となっている。
【００１２】
前記の構成のダンシング制御ツールは、図３に示すように、２本の電柱１０１間に架渉した架空光ケーブル１１０の支持線部に、吊架金物２を装着し、抑制装置１を光ケーブル１１０に取り付ける形態である。つまり、光ケーブル１１０を架渉する際に、ダンシング制御ツールをこのケーブル１１０のスパンＳ中心付近に装着する。ダンシング制御ツールは、吊架金物２を介して光ケーブル１１０に固定されている。このため、ダンシング制御ツールはスパンＳ間で移動することはない。
【００１３】
この状態のときに、つまり、球状錘１Ｂが球体１Ａ内部で静止して球体１Ａに着地しているとき、図４に示すように、光ケーブル１１０には、球体１Ａの重さと、球状錘１Ｂの重さとが加わった荷重Ａがかかる。つまり、光ケーブル１１０の自重は、荷重Ａが加わったものとなる。ところで、光ケーブル１１０の風圧振動により、光ケーブル１１０が左右に揺れて、球体１Ａ内の球状錘１Ｂが動くとき、球状錘１Ｂが浮くことになる。この状態のときには、光ケーブル１１０には、球体１Ａの重さだけが加わった荷重Ｂがかかる。この結果、球状錘１Ｂが着地しているときと、浮いているときとで荷重差Ｃが発生し、光ケーブル１１０の弛みを示す「ち度」が変化することになる。
【００１４】
一方、一般にケーブルの共振周波数は、
2005341689.tif 000003
で表される。１番目の式の中で、値Ｓは先に述べたケーブルのスパンであり、単位は［ｍ（メートル）］である。値Ｔはケーブルの張力であり、単位は［Ｎ（ニュートン）］である。値Ｗはケーブルの重さであり、単位は［kg／ｍ］であり、値ｇは重力の加速度である。また、２番目の式の中で、値ｄは先に述べたケーブルのち度であり、単位は［ｍ（メートル）］である。さらに、前記の式は、
2005341689.tif 000004
となる。この結果、ケーブルの共振周波数は、ケーブルのち度によって変化する。ケーブルの共振周波数は、ち度によって大きく変化するため、ち度を変えるファクターである、ケーブルの自重を変化させることにより、風圧振動時に共振周波数と一致することがなく、ケーブルの風圧振動がダンシングまで発展することがない。
【００１５】
こうして、本実施形態のダンシング制御ツールにより、抑制装置１の球状錘１Ｂが可動することにより、球状錘１Ｂがダンシング制御ツール内で着地しているときと、このツール内で浮いているときとでは、光ケーブル１１０の重量が変化する。この重量変化により、ダンシングを発生させる要因の共振周波数を変化させることが可能となり、光ケーブル１１０のダンシングを抑制することができる。
【００１６】
また、本実施形態では、２本の電柱１０１間に架渉した架空光ケーブル１１０にダンシング制御ツールを装着したが、光ケーブル１１０の架渉時にダンシング制御ツールを装着することももちろん可能である。
【００１７】
［実施形態２］
本実施形態によるダンシング制御ツールを図５に示す。このダンシング制御ツールは、吊架金物２と、保持手段として支持具３と、球状錘１Ｂとで構成されている。なお、図５では、先に説明した図１と同一もしくは同一と見なされる構成要素には、それと同じ参照符号を付けて、その説明を省略する。
【００１８】
支持具３は、光ケーブル１１０が風圧振動をしたときに、球状錘１Ｂが自由に動くように、吊架金物２と球状錘１Ｂとをつなぐものである。こうした支持具３として、コイルバネのような各種のバネや、シリコンゴムのような各種の弾性体があり、また、繊維などで作られた帯状体がある。
【００１９】
本実施形態により、支持具３によって光ケーブル１１０に吊るされた球状錘１Ｂが静止しているときと、風圧振動により浮いているときとでは、光ケーブル１１０の重量が変化する。この重量変化により、ダンシングを発生させる要因の共振周波数を変化させることが可能となり、光ケーブル１１０のダンシングを抑制することができる。
【００２０】
以上、本発明の実施形態を詳述してきたが、具体的な構成は本実施形態に限られるものではなく、本発明の要旨を逸脱しない範囲の設計の変更等があっても、本発明に含まれる。たとえば、各実施形態では、固定手段として吊架金物２を用いたが、固定手段は吊架金物２に限定されることはなく、各種形状および各種構造のものがある。また、実施形態１では、保持手段である中空体が球形の球体１Ａであり、錘が球形の球状錘１Ｂであったが、中空体および錘の形状は、球形に限定されることはなく、各種形状のものが利用可能である。
【図面の簡単な説明】
【００２１】
【図１】本発明の実施形態１によるダンシング制御ツールを示す正面図である。
【図２】図１の抑制装置の断面を示す部分断面図である。
【図３】ダンシング制御ツールの取り付けの様子を説明する説明図である。
【図４】ダンシング制御ツールの作用を説明するための説明図である。
【図５】本発明の実施形態２によるダンシング制御ツールを示す正面図である。
【符号の説明】
【００２２】
１  抑制装置
１Ａ  球体
１Ｂ  球状錘
２  吊架金物
２Ａ  固定部
２Ｂ  ボルト
２Ｃ  ナット
３  支持具
【図１】
2005341689.tif 000005
【図２】
2005341689.tif 000006
【図３】
2005341689.tif 000007
【図４】
2005341689.tif 000008
【図５】
2005341689.tif 000009